(57)【要約】【課題】ゴミ袋として使用できるような合成樹脂製手提げ袋において、開口部をしっかりと閉めることが容易に行えるうえに持ち運び等も容易であるようにする。【解決手段】開口部１３の幅方向の両側に提げ手２１を有する横ガゼット構造の合成樹脂製手提げ袋１１において、前記開口部１３に、当該合成樹脂製手提げ袋１１の厚さ方向で相対向する一対の第１舌片３１を備えるとともに、前記開口部１３における幅方向にも、相対向する一対の第２舌片３２を備える。【選択図】図２
0003148887.tif 000002
【実用新案登録請求の範囲】
【請求項１】
開口部の幅方向の両側に提げ手を有する横ガゼット構造の合成樹脂製手提げ袋であって、
前記開口部に、当該合成樹脂製手提げ袋の厚さ方向で相対向する一対の舌片が備えられるとともに、
前記開口部における幅方向にも、相対向する一対の舌片が備えられた
合成樹脂製手提げ袋。
【請求項２】
前記舌片のうち開口部における幅方向で相対向する舌片が、前記ガゼットを形成するための折り込み部分で形成された
請求項１に記載の合成樹脂製手提げ袋。
【請求項３】
前記舌片が、前記提げ手の下端部又はその近傍から形成された
請求項１または請求項２に記載の合成樹脂製手提げ袋。
【請求項４】
前記舌片が、前記提げ手の下端部から形成された
請求項１または請求項２に記載の合成樹脂製手提げ袋。
【請求項５】
前記舌片が、長さ方向基部側の幅広部と先端側の幅狭部を有し、これら幅広部と幅狭部との間に段差が形成された
請求項３または請求項４に記載の合成樹脂製手提げ袋。
【考案の詳細な説明】
【技術分野】
【０００１】
この考案は、たとえばゴミ袋やレジ袋などとして好適に使用される合成樹脂製手提げ袋に関する。
【背景技術】
【０００２】
ゴミ袋には、正面視方形をなし一辺に開口部を有する偏平なものがもともと使用されてきた。内部にゴミを入れた後、開口部を適宜縛って、縛った部分を手で持って持ち運びを行うものであった。
【０００３】
しかし近年、市町村などの自治体でゴミの有料化（ゴミ袋の有料化）が行われるようになって、自治体ごとに違いはあるものの、開口部の幅方向両側に提げ手を有し、提げ手の間に短冊状の舌片を有したレジ袋と同じ構造の袋（下記特許文献１参照）が用いられるようになった。この袋は、幅方向の両側にガゼット（マチ）を有した横ガゼット構造である。
【０００４】
何ゆえにレジ袋と同じ構造の袋が用いられるようになったかは明確ではないが、レジ袋のように提げ手があると収集時に持ち易いからであるといわれている。また、レジ袋のような横ガゼット構造であると袋の座りがよく、また舌片を有すると口を縛り易いという利点もある。
【特許文献１】登録実用新案第３１１０１４２号公報
【考案の開示】
【考案が解決しようとする課題】
【０００５】
確かに、レジ袋と同じ構造の袋を用いれば、上述のような利点が期待できる。
【０００６】
しかし、舌片は袋の厚さ方向に一対あるのみで、しかもその舌片の幅は狭い。このため、これらの舌片同士を結束したところで、提げ手の下方には隙間ができ、収容されたゴミなどが露出し、こぼれ出る場合もある。実際に、ゴミ集積場所では、袋からあふれ出たゴミを見かけることが多い。ゴミ集積場所の掃除も大変である。
【０００７】
このような事態を回避するには、余裕をもってゴミを収容したり、舌片同士を結束した上で提げ手同士を結束したりするとよい。
【０００８】
しかしながら、有料化ゴミ袋では余裕をもたせてゴミを収容することは、実際のところ行われにくい。目一杯詰め込まれ、口が閉じられていないばかりか、袋が破けているものすら見られる。また、提げ手同士を結束すると、上述の提げ手が有する利点を喪失してしまい、特に収集側の収集作業が面倒になる。
【０００９】
なお、レジ袋は上述のように開口部の幅方向両側に提げ手を有し、提げ手の間に細い短冊状の舌片を有した形状であり、それ以外のものはない。
【００１０】
そこで、この考案は、開口部をしっかりと閉めることが容易に行え、提げ手を有することの効果を十分に享受できるようにすることを主たる目的とする。
【課題を解決するための手段】
【００１１】
そのための手段は、開口部の幅方向の両側に提げ手を有する横ガゼット構造の合成樹脂製手提げ袋であって、前記開口部に、当該合成樹脂製手提げ袋の厚さ方向で相対向する一対の舌片が備えられるとともに、前記開口部における幅方向にも、相対向する一対の舌片が備えられた合成樹脂製手提げ袋である。
【００１２】
このような合成樹脂製袋では、厚さ方向で対向する一対の舌片と幅方向で対向する一対の舌片をそれぞれ結束すれば、開口部を隙間がないように閉じることができる。しかも、提げ手は提げ手として利用できる。
【００１３】
前記舌片のうち開口部における幅方向で相対向する舌片は、前記ガゼットを形成するための折り込み部分で形成するとよい。一体の舌片を容易かつ安価に得られる。しかも、この舌片は提げ手の下側部分から一体であるので、強度が高いうえに、開口部を閉じたときの隙間も極力なくせる。
【００１４】
前記舌片は、前記提げ手の下端部又はその近傍から形成されたものであるとよい。より好ましくは、前記提げ手の下端部から形成されたものであるとよい。開口部を閉じたときの隙間をより完全になくすことができる。
【００１５】
また、前記舌片が、長さ方向基部側の幅広部と先端側の幅狭部を有し、これら幅広部と幅狭部との間に段差が形成されたものであると、幅広部を有するため収容量が多い場合でも、隙間の発生を抑えられる。そのうえ幅狭部は幅広部に比してごわつかないので、幅狭部での簡単な結束ができるとともに、幅狭部が縛られたときに幅広部が幅狭部に追従して引っ張られることを段差部が阻止するので、幅広部による開口部の閉塞を確実に行える。
【考案の効果】
【００１６】
以上のように、この考案によれば、厚さ方向と幅方向での舌片の結束により開口部を閉じることができるので、提げ手の下方などに隙間ができないようにすることが可能である。このため、内容物の露出や散乱を防止することができる。
【００１７】
また、方向性の異なる二組の舌片が内容物を押さえ込む作用もするので、より多くの内容物を収容することも可能である。
【００１８】
しかも、開口部をしっかりと閉じたときでも、提げ手は提げ手として確実に利用できるので、持ち運びの便利さなどの利点を確保できる。
【００１９】
この結果、レジ袋として商品を収納する場合は商品の露出や飛び出しを防止して、容易に持ち運びができるなどの利点を有する。また、ゴミ袋として用いた場合には、多くのゴミをきれいに収納することができ、ゴミ集積場所の美化等に貢献するとともに、ゴミを出す側と収集する側の双方の利便性を図ることもできる。
【考案を実施するための最良の形態】
【００２０】
この考案を実施するための一形態を、以下図面を用いて説明する。  
図１は、ゴミ袋やレジ袋などとして用いられる合成樹脂製手提げ袋１１（以下、「袋」という。）の要部の斜視図であり、図２は袋１１を開いた状態の一部破断斜視図、図３は袋１１の正面図である。
【００２１】
この袋は、ポリエチレン等の適宜の合成樹脂フィルムで構成され、幅方向の左右両側にガゼット（マチ）１２を有する横ガゼット構造で、上端の開口部１３の幅方向両側に提げ手２１を有するとともに、開口部１３に二組の舌片３１，３２を有する。
【００２２】
前記の提げ手２１は、適宜幅の帯状である。袋１１の厚さ方向においてＶ字状に折り重ねられた表裏２枚のフィルムが、その上端部２１ａで互いに溶着され、閉ループ状に構成されている。
【００２３】
前記の二組の舌片３１，３２のうちの一組の舌片３１は、袋１１の厚さ方向で相対向するもので、他の一組の舌片３２は、開口部１３の幅方向で相対向するものである。ここで、前者の舌片を第１舌片３１とし、後者の舌片を第２舌片３２とする。図１、図３に示したように、第１舌片３１は正面に現れているが、第２舌片３２は、第１舌片３１同士の間にＶ字状に折り畳まれた状態で挟まれている。以下、舌片のことを必要に応じて第１舌片３１、第２舌片３２と表現する。
【００２４】
第１舌３１片は、前記提げ手２１の下端部２１ｂの近傍から上方に延びるように形成され、長さ方向基部側の幅広部３１ａと先端側の幅狭部３１ｂを有し、これら幅広部３１ａと幅狭部３１ｂとの間に水平の段差３１ｃを有する。幅広部３１ａと幅狭部３１ｂの中心線は一致し、いわば凸字状に形成されている。また、提げ手２１の下端部２１ｂと第１舌片３１との間１４は円弧状である。
【００２５】
第２舌片３２は、第１舌片３１と完全に同一の形状ではないものの同様の形状をなし、前記提げ手２１の下端部２１ｂの近傍から上方に延びるように形成され、長さ方向基部側の幅広部３２ａと先端側の幅狭部３２ｂを有し、これら幅広部３２ａと幅狭部３２ｂとの間に水平の段差３２ｃを有する。幅広部３２ａと幅狭部３２ｂの中心線は一致し、いわば凸字状に形成されている。また、提げ手２１の下端部２１ｂと第２舌片３２との間１５も円弧状である（図２参照）。
【００２６】
このような構造の袋１１は、図４（ａ）に示したように幅方向の両側に折り込み部分４１を有するチューブ状のフィルム４２に対して溶断と切断をして製造される。
【００２７】
袋１１が上述のような形状の二組の舌片（第１舌片３１と第２舌片３２）を有する構造であるので、上記チューブ状のフィルム４２の左右の折り込み部分４１の深さ（折り込み部分４１の先端４１ａ位置）は、図４（ａ）に仮想線で示したように、第１舌片３１の幅狭部３１ｂの両側を形成する位置よりも深く設定されている。折り込み部分４１の先端４１ａが互いに当接する状態あるもよいが、適宜離しておくほうが製造上好ましい。
【００２８】
袋１１は、まず、チューブ状のフィルム４２の適宜位置において幅方向にまっすぐ溶断して、搬送方向下流側に分離される部分に袋１１の底１６（図２、図３参照）を形成すると同時に、搬送方向上流側の部分には直線状の封止部４３を形成する（図４（ｂ）参照）。そしてこの封止部４３を有する部分に図４（ｂ）に仮想線（切断線４４）で示したような形の切断を行い、不要な部分４５を除去する。
【００２９】
このようにすると、上述のように提げ手２１と二組の舌片３１，３２とを有する袋１１が得られる。第１舌片３１と第２舌片３２におけるそれぞれ対向する片側部分は、チューブ状のフィルム４２の外側縁４２ａ（図４参照）を軸とした線対称の形状となるので、上述のように第１舌片３１と第２舌片３２は同一とは言えずとも同様の形状になる。
【００３０】
この袋１１は、開口部１３を広げて内部に商品やゴミなどを収容したのち、二組の舌片３１，３２のうちのいずれか一方の舌片（３１又は３２）を互いに結束し、続いて他方の舌片（３２又は３１）を互いに結束して、開口部１３を閉じる。このとき、第１舌片３１、第２舌片３２のいずれを先に結束するかは自由である。
【００３１】
すべての舌片３１，３２は、上述のように提げ手２１の下端部２１ｂの近傍から形成されているので、互いに重なる舌片３１，３２同士の間に隙間はできない。しかも、長さ方向の基部側の幅広部３１ａ，３２ａは先端方向に向けて一定の幅で延びているので、収容量が多い場合でも開口部１３を閉じるための面積を多くとれ、良好に開口部１３の閉塞ができる。また、このような場合でも、舌片３１，３２は先端側に幅狭部３１ｂ，３２ｂを有し幅広部３１ａ，３２ａとの間には段差３１ｃ，３２ｃを有しているので、幅広部３１ａ，３２ａをいたずらに収縮させたりしないで容易に結束し確実に閉塞することが可能である。このため、内容物の露出や飛び出しを防止できる。
【００３２】
そして、開口部１３を閉じた状態において提げ手２１は、幅方向の両側において起立した状態であるので、持ち運びが便利である。しかも、袋１１は横ガゼット構造であるため座りがよく、提げ手２１が立った状態を維持できるので、たとえば袋１１をゴミ袋として使用し、ゴミ集積場所に置いたときでも、提げ手２１を持つことが容易に行え、収集し易い状態を維持できる。
【００３３】
このように袋１１は、レジ袋として商品を収納する場合は商品の露出や飛び出しを防止して、容易に持ち運びができるなどの利点を有し、ゴミ袋として用いた場合には、多くのゴミをきれいに収納することができ、ゴミ集積場所の美化等に貢献するとともに、ゴミを出す側と収集する側の双方の利便性を図ることもできる。
【００３４】
以下、袋１１の形状の他の例について説明する。この説明において、上述の個構成と同一又は同等の部位については同一の符号を付して詳しい説明を省略する。
【００３５】
図５に示した袋１１は、提げ手２１における上部２１ｃを内側に迫り出させてそれより下側の部分よりも幅広にした形状である。このように提げ手２１の上部２１ｃが幅広になると、重い袋１１を提げたときでも手に対する提げ手２１の食い込みを抑えて、持ち易くすることができる。
【００３６】
図６に示した袋１１は、提げ手２１と各舌片３１，３２の間をスリットで構成して隙間をなくした例、換言すれば、各舌片３１，３２を提げ手２１の下端部２１ｂから形成した例を示している。このように隙間がない状態であれば、各舌片３１，３２の下端の幅広部３１ａ，３２ａを最も幅広にすることができるので、内容物の露出や飛び出しをより良く防止できる。
【００３７】
図７に示した袋１１は、提げ手２１の上部２１ｃを幅広にするとともに、舌片３１，３２の下端の幅広部３１ａ，３２ａを最も幅広にした例である。このような袋１１であれば、図５、図６に示した各袋１１がそれぞれ有する効果を兼ね備えることができる。しかも、製造時において切除する部分を少なくすることができる。
【００３８】
図８に示した袋１１も、提げ手２１の上部を幅広にするとともに、各舌片３１，３２の下端の幅広部３１ａ，３２ａを最も幅広にした例であり、この例では、各舌片３１，３２の形状は先端側から基部側まで徐々に幅広になるように、両側がハ字形に傾斜している。この袋１１も、図５、図６に示した袋がそれぞれ有する効果を兼ね備えることができるとともに、製造時において切除する部分を少なくすることができる。
【００３９】
以上はこの考案を実施するための一形態であって、この考案は、上述の構成のみに限定されるものではなく、その他の形態を採用することもできる。  
たとえば、第２舌片は別体で構成されて後付されるものであってもよい。
【図面の簡単な説明】
【００４０】
【図１】合成樹脂製手提げ袋の要部の斜視図。
【図２】開口部を開いた状態の合成樹脂製手提げ袋の斜視図。
【図３】合成樹脂製手提げ袋の正面図。
【図４】合成樹脂製手提げ袋の製造工程を示す説明図。
【図５】他の例に係る合成樹脂製手提げ袋の要部の正面図。
【図６】他の例に係る合成樹脂製手提げ袋の要部の正面図。
【図７】他の例に係る合成樹脂製手提げ袋の要部の正面図。
【図８】他の例に係る合成樹脂製手提げ袋の要部の正面図。
【符号の説明】
【００４１】
１１…合成樹脂製手提げ袋
１２…ガゼット
１３…開口部
２１…提げ手
２１ｂ…下端部
３１…第１舌片
３２…第２舌片
３１ａ，３２ａ…幅広部
３１ｂ，３２ｂ…幅狭部
３１ｃ，３２ｃ…段差
４１…折り込み部分
【図１】
0003148887.tif 000003
【図２】
0003148887.tif 000004
【図３】
0003148887.tif 000005
【図４】
0003148887.tif 000006
【図５】
0003148887.tif 000007
【図６】
0003148887.tif 000008
【図７】
0003148887.tif 000009
【図８】
0003148887.tif 000010